(57)【要約】【課題】ラベル基材に切込みを入れつつもシート状を保ち、さらにラベル片の切離しの作業性とラベル片幅の均一性を確保したラベルシートを提供することを目的とする。【解決手段】ラベル基材２の自由端側２ａから基端側２ｂに向けて所定間隔で並行状に複数の切込み７を設けるとともに基端側２ｂにおいて切り残される残余部８を介して相互に連結する短冊形のラベル片３群を形成し、前記ラベル片群の自由端側２ａの裏面が切込み７方向に対して直交する帯状の粘着シート５を介して連結される。【選択図】図１
2010271421.tif 000002
【特許請求の範囲】
【請求項１】
ラベル基材の自由端側から基端側に向けて所定間隔で並行状に複数の切込みを設けるとともに基端側において切り残される残余部を介して相互に連結する短冊形のラベル片群を形成し、前記ラベル片群の自由端側の裏面が切込み方向に対して直交する帯状の粘着シートを介して連結されるラベルシート。
【請求項２】
残余部がラベル片としての非重要部位に設けられ、その長さが２ｍｍ〜２０ｍｍであることを特徴とする請求項１に記載のラベルシート。
【発明の詳細な説明】
【技術分野】
【０００１】
本発明は、物品等に巻き付けるラベル片を提供できるラベルシートに関する。
【背景技術】
【０００２】
この種のラベルシート３１は、図８に示すように、矩形シート状の外観を呈しているが、ラベル片３２を基端側３３から自由端側３４へ所定の間隔で並行状に切込み３５を設け、基端側３３には切込みしない残余部３６を有し、残余部３６を介して基端側３３においてのみ連続したシートとなっている。上記残余部３６の裏面には、切込み方向に直交する帯状の粘着シート３７が粘着剤層３８を介して設けられている。また、前記残余部３６には切込み３５から伸びるミシン目３９が設けられ、ミシン目３９は前記粘着シート３７を貫通している。
【０００３】
次に、特許文献１記載のラベルシートは、切込み線やミシン目を有しないプリンタなどで印刷可能なシートとなっており、シートの一端側には、所定間隔の切込み角を設けている。さらに、前記切込み角の一端側裏面の直交方向には、帯状の粘着シートを介して粘着剤層を設けている。使用に際しては、シート状のラベルシートに手書きやプリンタなどで印字し、その後、一端側を手指等で摘まんで切込み角から他端側へ向かって真っ直ぐに切り離してラベル片とする。
【０００４】
特許文献２記載のラベルシートは、ラベル片がミシン目を介してシート状に接続されているプリンタなどによる印刷可能なシートとなっており、裏面には粘着シートが設けられてなる。使用に際しては、特許文献１と同様に印字した後、ミシン目から切り離してラベル片とする。
【０００５】
【特許文献１】意匠登録第０３９０２２０号公報
【特許文献２】特開２００１−１５４５８８号公報
【発明の概要】
【発明が解決しようとする課題】
【０００６】
前記ラベルシート３１によれば、各ラベル片３２・・が切込み３５・・によって自由端側３４・・でそれぞれ切り離しされているために、所謂すだれ状に波打つ状態が避けられず、使い勝手が良くないものであった。
特に、ミシン目３９からの横裂けが発生することがあった。本発明者が検討したところ、残余部３６のミシン目３９が、表面から刃を押圧して切込みする切込み部位と切り込みしない連結部位とを短寸間隔で繰返し形成する際に、シートとその裏面の粘着シート３７と粘着剤層３８の層形成が原因となっていると思われるが、シートの切込み部位の端部において裏面側への切断だれが起こっていることが判明した。その結果、切り離しに伴って、だれ部位からの横裂けが発生し易いものであった。
【０００７】
特許文献１のラベルシートでは、シートとしてプリンタなどで印刷できるものの、一端側の切込み角を利用して他端側へ切り離すので、切り離されたラベル片の幅が使用者の熟練度に依存し、一本一本が均一幅にならず、他端側まで直線的に切り離しできないこともあった。そのために、ラベル片自体に商品価値を損なうことが起こっていた。
【０００８】
特許文献２のラベルシートでは、ミクロ的に観察すると、切込みしていない連結部位のちぎれ破断面と切込み部位とが交互に連続するために、ラベル片としての商品価値を十分に主張できないこともあった。また、ミシン目方向ではなくて交差方向へ乱暴に切り離し作業することがあると、切込み部位の微小な切断だれがあるときに、この切断だれに誘発されて横裂けが起こることも分った。
【０００９】
そこで本発明は、ラベル基材に切込みを入れつつもシート状を保ち、さらにラベル片の切離しの作業性とラベル片幅の均一性を確保したラベルシートを提供することを目的とする。
【課題を解決するための手段】
【００１０】
本発明によれば、ラベル基材の自由端側から基端側に向けて所定間隔で並行状に複数の切込みを設けるとともに基端側において切り残される残余部を介して相互に連結する短冊形のラベル片群を形成し、前記ラベル片群の自由端側の裏面が切込み方向に対して直交する帯状の粘着シートを介して連結されることを特徴とする。
【００１１】
上記構成によれば、ラベル基材の基端側が残余部で連結されると同時に自由端側が粘着シートで連結されているので、所謂シート状のまとまりを呈している。
使用に際しては、ラベル片の自由端側を摘み、自由端側裏面に設けられている粘着剤層を粘着シートから切り離すと切込みに沿ってラベル片が残余部まで切り離されている。さらに残余部を基端側へ切り離すことでラベルシートからラベル片が切り離される。
【００１２】
また本発明は、上記発明において、残余部がラベル片としての非重要部位に設けられ、その長さが２ｍｍ〜２０ｍｍであることを特徴とする。
【００１３】
上記構成によれば、残余部がラベル片としての非重要部位に設けられているので、その長さが２ｍｍ〜２０ｍｍとなって切り離しされる。
【発明の効果】
【００１４】
本発明によれば、ラベル基材の基端側が残余部で連結されている一方、自由端側が粘着シートで連結されているので、切込みが中間部位に介在していてもラベル基材はシート状の外形を呈し、ラベルシートへの印字、例えば、手書きによる記入やスタンプによる押印等によってもラベルシートがバラバラになり使用上の不便を生じさせないラベルシートを提供することができる。
【００１５】
さらに、横裂けの原因と考えられる切込み部位の微小な切断だれを設けないようにラベル基材は残余部を残して自由端側から基端側まで切込んでいるため、熟練度に左右されない均一な幅のラベル片が得られるラベルシートを提供することができる。
よって、切込み方向ではなく交差方向へ乱暴に切り離し作業を行った場合においても、横裂けしにくくなり、商品価値を下げることもない。
また、切込みが直線である必要もないため、デザイン形状に富んだラベルシートを提供することができる。
【００１６】
また本発明によれば、ラベル基材を切り離す最大長さが２０ｍｍで最小長さが２ｍｍとなっているので、仮に残余部の横裂けが生じたとしても、残余部が非重要部位であるためラベル片の商品価値を損なうことがない。
【図面の簡単な説明】
【００１７】
【図１】本発明の第一の実施形態の表面図である。
【図２】図１のＡ−Ａ断面図である。
【図３】本発明の第一の実施形態における粘着剤層を切り離した斜視図である。
【図４】本発明の第一の実施形態における残余部を切り離した斜視図である。
【図５】本発明の第二の実施形態の表面図である。
【図６】本発明の第三の実施形態の表面図である。
【図７】本発明の第三の実施形態の使用状態図である。
【図８】従来例のラベルシートの斜視図である。
【発明を実施するための形態】
【００１８】
本発明のラベルシートについて、その特徴とするところを図面に示す実施形態に基づき詳述し、併せてその他の特徴について説明することにする。
【００１９】
[第一の実施形態]
図１〜図４は、本発明に係るラベルシートの第一の実施形態である。
第一の実施形態に係るラベルシート１は、図１に示すように、ラベル基材２の自由端側２ａから基端側２ｂに向けて所定間隔で並行状に複数の切込み７を直線形状に設け、基端側２ｂにおいて切り残される残余部８を介して相互に連結する短冊形のラベル片３と、該ラベル片３の自由端側２ａの裏面には切込み方向に対して直交する帯状の粘着シート５が粘着剤層４を介して設けられている。
【００２０】
なお、本実施形態におけるラベルシート１は、一般的に流通している縦２００ｍｍ×横１８０ｍｍサイズのラベルシート１としているが、使用の用途にあわせてサイズを変更しても良く、ラベル基材２も一般的な厚さ８０μｍ〜２００μｍで形成されている。
切込み７の幅は、２０ｍｍ間隔で設けられているが、ラベル基材２に材料ムダが発生しない間隔であればよい。一般的にラベル基材２への切込み間隔は、１５ｍｍ〜２０ｍｍの間で設定されている。
粘着剤層４と粘着シート５は、自由端側３ａから１４ｍｍの位置に設けられているが、設置位置については粘着剤層４と粘着シート５の材質に適した位置に設置するのが好ましい。
【００２１】
また、ラベル基材２は二軸延伸の延性フィルムを素材とし、自由端側２ａにはラベル片３ごとに半円形状の形状加工部３ａがそれぞれ設けられている。ラベル基材２の素材としては、印字可能な素材であればよく、例えば、一軸の延伸フィルム、無延伸のフィルム素材等であってもよい。
ここで印字とは、手書きによる記載、プリンタによる印刷、スタンプによる押印等を含むものであり、以下はこれらを総称して印字とする。
【００２２】
また、切込み７は、ラベル基材２に対して材料ムダが発生しない間隔で切り込まれ、中途切断の原因となる切断だれがラベル基材２に生じないようになっている。
【００２３】
さらに、残余部８は、ラベル片３がバラバラにならないようシート状に保形するための部分であるため、残余部８からラベル片３が斜め切断された場合においても、表示欄６における印字が欠ける事のない程度の長さとなっている。つまり、残余部８は、ラベル片３における非重要部位となっている。
【００２４】
残余部８の長さについては、本発明者がさまざまな材料によって検証した結果、横裂けによる表示欄６の記載事項が欠けることのない最大長さは２０ｍｍ程度、ラベルシート１の通常使用時においてシート状を形成維持するための最小長さは２ｍｍ程度であることが判明した。
上述の検討結果及び残余部８はシート状を形成維持するための最小長さとする点を踏まえると、残余部８の長さは２ｍｍ〜１０ｍｍの範囲とすることが好ましい。
【００２５】
基端側２ｂは、残余部８によって連結されているものの、ラベル基材２が二軸延伸の延性フィルムを素材としているので、延性フィルムの傷方向にのみ切り離し易い、つまりは切込み７の方向にのみ切り離し易くなっている。よって、残余部８からの斜め切断は生じにくいものとなっている。
【００２６】
一方、上記ラベル基材２の自由端側２ａ近傍の裏面には、小幅の粘着シート５が粘着剤層４を介して切込み７の方向に対して直交する方向に設けられているため、自由端側２ａがシート状に整列保形し、全体としてラベルシート１を形成している。
【００２７】
粘着剤層４と粘着シート５は、プリンタによる印字あるいは給紙工程を妨げることがない程度の厚さであると同時に、粘着剤層４側が高くなることにより平積み保管に障害を起さない程度の厚さとなっている。
また、粘着剤層４と粘着シート５の双方の厚さは、ラベル基材２と同程度あるいはより薄く形成することが好ましく、素材としては、切り溝を設けなくても切り離し方向に容易に切り離すことが可能な構造素材とすることが好ましい。
【００２８】
使用方法としては、予めラベルシート１の表面に印字した後、ラベルシート１の自由端側２ａの分離加工部３ａを指先で摘み、基端側２ｂへ引くことで、自由端側２ａの近傍裏面に設けられている粘着剤層４を切り離し、粘着シート５を残したまま切込み７に沿って残余部８まで切り離される。
さらに、基端側２ｂへ引くことで、残余部８は延伸フィルムの切込み７方向に沿って切り離され、ラベル片３を得ると同時に物品１１に対して使用することができる状態となる。
ラベル片３は粘着シート５を剥がして粘着剤層４を露出させ、物品１１に巻き付けてラベル片３の裏面と粘着剤層４を接着させて使用される。
ここで粘着剤層４自体には、切り離しに対して抵抗する十分な強度を有していないため、基端側２ｂへ引かれた際には引かれた方向に沿って切り離され、粘着剤層４の幅はラベル片３の幅と同一幅で切り離される。
【００２９】
ここで、ラベルシート１の自由端側２ａには、ラベル片３ごとに半円形状の形状加工部３ａがそれぞれ施されているので、ラベルシート１からラベル片３が摘み易くなり、粘着剤層４と粘着シート５を切込み７の方向に切り離し易くなっている。
【００３０】
また他の使用方法、例えばラベル片３を複数必要とする場合には、前述の使用方法と同様に予めラベルシート１の表面に印字した後、ラベルシート１からラベル片３を複数、粘着シート５と粘着剤層４ごと切り離し、粘着シート５を剥がした後に分離加工部３ａを指先で摘み、基端側２ｂへ引くことで、自由端側２ａの近傍裏面に設けられている粘着剤層４を切り離し、同時に切込み７に沿って残余部８まで切り離される。
さらに、基端側２ｂへ引くことで、残余部８は延伸フィルムの延伸方向に沿って切り離され、ラベル片３を得ることができる。
【００３１】
ここで、粘着剤層４及び粘着シート５へは切込み７が設けられていないので、粘着剤層４から粘着シート５を剥離した後も粘着剤層４によって未使用のラベルシート１の自由端側２ａ近傍を保形した状態となり、シート状に維持される。
【００３２】
従って、第一の実施形態におけるラベルシート１は、自由端側２ａを保形している粘着剤層４と粘着シート５と、基端側２ｂの残余部８を切り離すことでラベル片３が容易に得られるものとなっているので、切り離しの熟練度にも左右されずに、スムーズにラベルシート１からラベル片３を得ることができる一方、ラベルシート１の使用状況あるいは使用用途にも柔軟に対応できるものとなっている。
【００３３】
切込み７には、横裂けの原因と考えられる微小な切断だれが生じないように切込み形成されているため、切込み７の方向ではなく交差する方向へ乱暴に切り離し作業を行った場合においても横裂けしにくいものとなっている。
また、使用後においても延伸フィルムには、横裂けの原因となる切断だれが存在していないために中途切断しにくいラベル片３となっており、商品価値も下がる恐れがない。
【００３４】
また、粘着剤層４と粘着シート５は、自由端側３ａの近傍、つまり自由端側３ａから若干距離を開けて設置されているので、ラベル片３が粘着剤層４と粘着シート５の設置部分を切り離す際には、切り離し易くなっている。
【００３５】
[第二の実施形態]
図５は、本発明に係るラベルシートの第二の実施形態である。この実施形態はラベル基材２に所定間隔で設けられる切込み７を直線形状ではなく波型形状とした点でのみ第一の実施形態と異なっており、使用の手順については第一の実施形態と同様である。従って、以下の説明では、第一の実施形態と異なる部分についてのみ説明する。
【００３６】
切込み７は、図５に示すように、ラベル基材２の自由端側２ａから基端側２ｂに向けて所定の間隔で並行状に波形形状で切込み形成する一方、基端側２ｂにおいて残余部８を切り残している。
【００３７】
切込み７は、特定の形状に縛られることのない自由度が高いものとなっているため、デザイン形状に富んだラベルシート１を提供することができる。好ましくは、途中切断の原因となる鋭角部（図示せず）を有さない切込み形状とするとよい。
【００３８】
[第三の実施形態]
図６及び図７は、本発明に係るラベルシートの第三の実施形態である。この実施形態はラベル基材２の基端側２ｂに、切込み７の方向に対して直交する分離加工部９が残余部８に係ることなく設けられ、分離加工部９により表示欄６の端部が切り離されてコード部１０が形成される点でのみ第一の実施形態と異なっている。従って、以下の説明では、第一の実施形態と異なる部分についてのみ説明する。
【００３９】
分離加工部９は、図６に示すように、切込み７の方向に対して直交する方向に残余部８にかかることなく形成され、図７に示すように、ラベル片３を物品１１に巻き付けた状態においてラベル片３の表示欄６の一部を分離加工部９に沿って切り離し、コード部１０を形成する。
本実施形態では、分離加工部９が基端側２ｂから３０ｍｍの位置に設けられ、分離構造が山折りによってミシン目があらわれるスジ加工となっている。
【００４０】
使用に際しては、図７に示すように、ラベルシート１から切り離したラベル片３を物品１１に巻き付け、自由端側２ｂの裏面に設けられている粘着剤層４によって巻付け状態を保持した後、分離加工部９に沿ってラベル片３の表示欄６の一部を切り離してコード部１０が形成される。
【００４１】
コード部１０は、使用状況あるいは使用用途に応じてラベル片３から切り離すことができるので、コード部１０に予め販売者にとって重要なコード（例えば、商品コードや部門コードなど）を印字してコード部１０のみをコード読取器に読み込ませることができる。
【００４２】
また、分離加工部９は、山折りによってミシン目があらわれるスジ加工となっているので、光レーザを利用して用紙サイズの認識を行うプリンタにおいても、用紙サイズを誤認させることなくラベル面を印刷することができる。
【００４３】
従って、第三の実施形態におけるラベルシート１は、分離加工部９によってプリンタが用紙サイズを誤認することなく、表示欄６からコード部１０を切り離すことができるので、物品１１の販売時において、物品１１が重いときなどにコード部１０を切り離してコード読取機で読み取り、物品１１の会計を済ますといった状況が考えられる。
【００４４】
なお、上述した実施形態は全て本発明を例示的に示すものであって限定的に示すものではなく、本発明は他の種々の変形態様及び変更態様で実施することができる。従って、本発明の範囲は特許請求の範囲及びその均等範囲によってのみ規定されるものである。
【符号の説明】
【００４５】
１              ラベルシート
２              ラベル基材
２ａ            自由端側
２ｂ            基端側
３              ラベル片
３ａ            形状加工部
４              粘着剤層
５              粘着シート
６              表示欄
７              切込み
８              残余部
９              分離加工部
１０              コード部
１１              物品
３１              ラベルシート
３２              ラベル片
３３              基端側
３４              自由端側
３５              切込み
３６              残余部
３７              粘着シート
３８              粘着剤層
３９              ミシン目
【図１】
2010271421.tif 000003
【図２】
2010271421.tif 000004
【図３】
2010271421.tif 000005
【図４】
2010271421.tif 000006
【図５】
2010271421.tif 000007
【図６】
2010271421.tif 000008
【図７】
2010271421.tif 000009
【図８】
2010271421.tif 000010